(57)【要約】【課題】コストの低減及び規模の縮小化を実現する。【解決手段】ＩＰ（Ｉｎｔｅｒｎｅｔ  Ｐｒｏｔｏｃｏｌ）ネットワークから送信されるデジタル音声データをｍ線式の通信回線で送信可能な第１のアナログ音声信号に変換する第１の変換部と、前記第１のアナログ音声信号をｎ線式（ｎ＞ｍ）の通信回線で送信可能な第２のアナログ音声信号に変換する第２の変換部と、前記第２のアナログ音声信号を送信先へ送信する送信部と、を備えた。【選択図】図１
2007221546.tif 000002
【特許請求の範囲】
【請求項１】
ＩＰ（Ｉｎｔｅｒｎｅｔ  Ｐｒｏｔｏｃｏｌ）ネットワークから送信されるデジタル音声データをｍ線式の通信回線で送信可能な第１のアナログ音声信号に変換する第１の変換部と、
前記第１のアナログ音声信号をｎ線式（ｎ＞ｍ）の通信回線で送信可能な第２のアナログ音声信号に変換する第２の変換部と、
前記第２のアナログ音声信号を送信先へ送信する送信部と、
を備えたことを特徴とする音声送信装置。
【請求項２】
前記ＩＰネットワークから送信される前記デジタル音声データのうち、前記第２のアナログ音声信号に変換するべき前記デジタル音声データを選択し、当該デジタル音声データを前記第１の変換部に供給する選択部、
を更に備えたことを特徴とする請求項１に記載の音声送信装置。
【請求項３】
前記送信先は、
前記送信部からの前記第２のアナログ音声信号を受信する受信部と、
前記受信部からの前記第２のアナログ音声信号を前記第１のアナログ音声信号に変換する第３の変換部と、
前記第３の変換部からの前記第１のアナログ音声信号が供給される電話機と、
を有することを特徴とする請求項１に記載の音声送信装置。
【請求項４】
ＩＰ（Ｉｎｔｅｒｎｅｔ  Ｐｒｏｔｏｃｏｌ）ネットワークから送信されるデジタル音声データをｍ線式の通信回線で送信可能な第１のアナログ音声信号に変換し、
前記第１のアナログ音声信号をｎ線式（ｎ＞ｍ）の通信回線で送信可能な第２のアナログ音声信号に変換し、
前記第２のアナログ音声信号を送信先へ送信する、
ことを特徴とする音声送信装置の送信方法。
【発明の詳細な説明】
【技術分野】
【０００１】
本発明は、音声送信装置、及び音声送信装置の送信方法に関する。
【背景技術】
【０００２】
企業（例えば電力会社）の拠点（電力所、中継拠点、変電所など）間には、例えば電話番号を送信先に伝え、電話機の呼出音を鳴らし、音声を伝えるという一連の取り決め（Ｐｒｏｔｏｃｏｌ：プロトコル）に従って通信を行う専用線（以下、中継線とする）のネットワークが構築されている。また、各拠点には、例えばアナログ回線用の電話機、構内交換機（Ｐｒｉｖａｔｅ  Ｂｒａｎｃｈ  ｅＸｃｈａｎｇｅ：以下ＰＢＸと称する）、搬送装置が設置されている。ＰＢＸとは、複数の電話機と搬送装置との間を中継する装置であり、拠点間での内線電話、外線への発信や他の拠点からの着信、電話の転送等、電話機間の接続の管理を行うものである。また、搬送装置とは、他の拠点に設けられた搬送装置との間で中継線を介して音声信号の送受信を行うものである。
【０００３】
なお、拠点間のＰＢＸ同士の通信には、後述するように、一般の電話回線（２線式）と異なる回線（６線式）が使用されている。つまり、ＰＢＸにおいて電話機側の回線は２線式であり、搬送装置側の回線は６線式となっている。このＰＢＸは、一般的に高価で大がかりな装置であるので、電話機が例えば１台の拠点には設置されていない。その場合、２線式の回線と６線式の回線との変換機能を有するレピータが搬送装置と電話機の間に設けられる。
【０００４】
このようなアナログ用の中継線を利用した電話サービスに代わり、近年、ＶｏＩＰ（Ｖｏｉｃｅ  ｏｖｅｒ  Ｉｎｔｅｒｎｅｔ  Ｐｒｏｔｏｃｏｌ）を利用した電話サービスが増加してきている。ＶｏＩＰとは、アナログの音声信号や、接続先の電話番号、発信や切断などの電話操作を、通信の伝送単位であるパケット（以下ＩＰパケットとする）にデータ化（デジタル化）してＩＰネットワーク（以下、ＩＰ網とする）経由で送信するシステムである。このＩＰパケットの先頭には必ず送信先や送信元のＩＰアドレスなどを含むＩＰヘッダが付加されており、そのＩＰアドレスに基づきＶｏＩＰでは、ＩＰパケットを送信先に転送することが可能となっている（以下、径路選択の機能とする）。なお、ＶｏＩＰを適用するには、通信網にＩＰパケットを送信するのに十分な伝送容量を有していることが必要である。ＶｏＩＰにより、音声通話と、例えばパソコンによるデータ通信とが同一のＩＰ網で実現できる。また、ＶｏＩＰを適用すると、通信費用が拠点間の距離や通話時間に依存しなくなる。
【０００５】
ところで、企業において、既に各拠点間に中継線が構築され、アナログ回線用の電話機やＰＢＸが設置されている場合、一度にＶｏＩＰのシステムに乗り換えることは困難である。そこで、従来のアナログ回線用の電話機やＰＢＸをそのまま利用しつつ、遠隔の拠点間のネットワーク（Ｗｉｄｅ  Ａｒｅａ  Ｎｅｔｗｏｒｋ：ＷＡＮ）部分だけにＶｏＩＰを適用する方式（ゲートウェイ方式）が一般的に行われている（例えば特許文献１参照）。
【０００６】
このゲートウェイ方式では、異なる媒体や通信プロコトルを使用するネットワーク間の接続を可能とするＩＰゲートウェイを、ＩＰ網とＰＢＸとの間に介在して設けている。このことにより、アナログ回線用の電話機やＰＢＸをＶｏＩＰに利用できることになる。
【特許文献１】特開２００４−１２８８９１号公報
【発明の開示】
【発明が解決しようとする課題】
【０００７】
前述したように、ＶｏＩＰは、径路選択の機能を有している。例えばＩＰゲートウェイの前段にＩＰアドレスを検出して送信先を選択できるスイッチングハブを設置することによって、ＰＢＸを設けていなくても、送信先の電話機に音声信号を送信することが可能である。
【０００８】
ところが、前述したＩＰゲートウェイはＰＢＸとの接続を行う装置である。つまり、このＩＰゲートウェイには電話機を接続することができない。このように、ＶｏＩＰを適用した拠点において、ＶｏＩＰの径路選択の機能があるにもかかわらず、高価で大がかりな装置であるＰＢＸを無くすことができなかった。
【０００９】
また、ＩＰゲートウェイの代わりに、電話機を接続するためのインターフェースを設けると、当該インターフェースに搬送装置が接続出来なくなる。つまり、ＶｏＩＰを適用した拠点から、ＶｏＩＰを適用していない拠点への中継が出来なくなることになる。
【００１０】
そこで本発明は、コストの低減及び規模の縮小化を実現できる音声送信装置を提供することを目的とする。
【課題を解決するための手段】
【００１１】
前記課題を解決するための発明は、ＩＰ（Ｉｎｔｅｒｎｅｔ  Ｐｒｏｔｏｃｏｌ）ネットワークから送信されるデジタル音声データをｍ線式の通信回線で送信可能な第１のアナログ音声信号に変換する第１の変換部と、前記第１のアナログ音声信号をｎ線式（ｎ＞ｍ）の通信回線で送信可能な第２のアナログ音声信号に変換する第２の変換部と、前記第２のアナログ音声信号を送信先へ送信する送信部と、を備えたことを特徴とする。従来よりもコストの低減及び規模の縮小化を実現することができる。
【００１２】
また、かかる音声送信装置において、前記ＩＰネットワークから送信される前記デジタル音声データのうち、前記第２のアナログ音声信号に変換するべき前記デジタル音声データを選択し、当該デジタル音声データを前記第１の変換部に供給する選択部、を更に備えたことが好ましい。このことにより、必要なデジタル音声データのみを第２のアナログ音声信号に変換することができる。
【００１３】
また、かかる音声送信装置において、前記送信先は、前記送信部からの前記第２のアナログ音声信号を受信する受信部と、前記受信部からの前記第２のアナログ音声信号を前記第１のアナログ音声信号に変換する第３の変換部と、前記第３の変換部からの前記第１のアナログ音声信号が供給される電話機と、を有することが好ましい。送信先の電話機に音声を送信することができる。
【００１４】
また、前記課題を解決するための発明は、ＩＰ（Ｉｎｔｅｒｎｅｔ  Ｐｒｏｔｏｃｏｌ）ネットワークから送信されるデジタル音声データをｍ線式の通信回線で送信可能な第１のアナログ音声信号に変換し、前記第１のアナログ音声信号をｎ線式（ｎ＞ｍ）の通信回線で送信可能な第２のアナログ音声信号に変換し、前記第２のアナログ音声信号を送信先へ送信する、ことを特徴とする。
【発明の効果】
【００１５】
本発明によれば、コストの低減及び規模の縮小化を実現することができる。
【発明を実施するための最良の形態】
【００１６】
本明細書及び添付図面の記載により、少なくとも以下の事項が明らかとなる。
【００１７】
＝＝＝システム構成＝＝＝
図１を参照しつつ、本発明にかかる音声送信装置を適用したシステム構成について説明する。図１は、本発明にかかる音声送信装置を適用したシステム構成を示すブロック図である。なお、図１は、電力会社の拠点（電力所、中継拠点、変電所）におけるシステム構成の一例について示したものである。
【００１８】
電力所と中継拠点との間にはＶｏＩＰが適用されており、電力所と中継拠点とはＩＰ網５００を介して通信可能となっている。なお、中継拠点は、電力所と末端の変電所とを中継する拠点である。  
中継拠点と変電所とは、アナログの中継線６００を介して通信可能となっている。
【００１９】
≪電力所≫
図１は電力所に３台の電話機１００ａ、１００ｂ、１００ｃを設けた場合の構成の一例を示している。
【００２０】
電力所は、主として電話機１００ａ、１００ｂ、１００ｃ、ＰＢＸ１０２、ＯＤトランク（ｏｕｔ  ｂａｎｄ  ｆｒｅｑｕｅｎｃｙ  ｄｉａｌｉｎｇ  ｔｒｕｎｋ：以下ＯＤＴとする）１０４ａ、１０４ｂ、１０４ｃ、ＩＰゲートウェイ（以下ＩＰ−ＧＷとする）１０６ａ、１０６ｂ、１０６ｃ、スイッチングハブ（以下ＳＷと称する）１０８、電話帳サーバ１０７、ＩＰ搬送装置１１０を備えている。
【００２１】
電話機１００ａ、１００ｂ、１００ｃは、ＩＰパケットの通信機能（以下、ＶｏＩＰの機能と称する）を有しないアナログ回線用の電話機である。電話機１００ａ、１００ｂ、１００ｃは、２線式のケーブル（例えば銅線）１０１ａ、１０１ｂ、１０１ｃでＰＢＸ１０２と接続されている。
【００２２】
ＰＢＸ１０２は、社内電話網（例えば電話機１００ａ、１００ｂ、１００ｃ）を繋ぐ回線数を低減するため、また回線の変更を容易にするために設置されたものであり、電力所での内線電話、中継拠点などへの発信や中継拠点などからの着信、電話の転送等、電話機間の接続の管理を行う。図１では、ＰＢＸ１０２を介して、電話機１００ａとＯＤＴ１０４ａとが接続され、電話機１００ｂとＯＤＴ１０４ｂとが接続され、電話機１００ｃとＯＤＴ１０４ｃとが接続されていることとする。なお、ＰＢＸ１０２は、ＶｏＩＰの機能を有していない。また、電話機１００ａ、１００ｂ、１００ｃとＯＤＴ１０４ａ、１０４ｂ、１０４ｃの接続の組合せはＰＢＸ１０２の設定によって切り替えることができる。
【００２３】
ＯＤＴ１０４ａ、１０４ｂ、１０４ｃは、ケーブル１０１ａ、１０１ｂ、１０１ｃと、ＯＤ回線のケーブル１０５ａ、１０５ｂ、１０５ｃとを接続するためのインターフェースである。なお、ＯＤ回線とは２拠点のＰＢＸを接続するために使用する回線である。ＯＤ回線には、音声信号に一方向側と他方向側に別々に通話路が２線ずつ（計４線：４Ｗとする）あり、さらに、この通話路以外に制御用の２線（ＳＳ線、ＳＲ線）を有している。なお、ＳＳ線は、相手側にダイヤルパルスを送り込む線であり、ＳＲ線は相手側からのダイヤルパルスを受信する線である。以下、４ＷとＳＳ線とＳＲ線を合わせて６線とする。
【００２４】
ＩＰ−ＧＷ１０６ａ、１０６ｂ、１０６ｃは、異なる媒体や通信プロコトルを使用するネットワーク間の接続を可能とするため信号やデータの変換を行うものである。具体的にはＩＰ−ＧＷ１０６ａ、１０６ｂ、１０６ｃは、それぞれＯＤＴ１０４ａ、１０４ｂ、１０４ｃから受信したＯＤ回線の信号（以下ＯＤ信号とする）を、デジタルのＩＰパケット（デジタル音声データ）に変換してＳＷ１０８に送信する。また、その逆にＳＷ１０８から受信したＩＰパケットをＯＤ信号に変換して、ＯＤＴ１０４ａ、１０４ｂ、１０４ｃに送信する。なお、ＩＰ−ＧＷ１０６ａ、１０６ｂ、１０６ｃにはそれぞれ、電話機１００ａ、１００ｂ、１００ｃの電話番号に対応してＩＰアドレス（ＩＰ網５００上の識別番号）が割り当てられている。また、ＩＰパケットの先頭には必ず送信先や送信元のＩＰアドレスなどを含むＩＰヘッダが付加されており、それによりＩＰパケットを送信先に転送する径路選択のＩＰの機能が実現されている。
【００２５】
電話帳サーバ１０７には、各拠点における電話機の電話番号と、それに対応するＩＰアドレスとの組合せが格納されている。  
ＳＷ１０８は、ＩＰ−ＧＷ１０６ａ、１０６ｂ、１０６ｃ、ＩＰ搬送装置１１０と接続されている。また、ＳＷ１０８は、電話帳サーバ１０７と接続されている。そして、ＳＷ１０８は、ＩＰパケットを受信すると、ＩＰパケットのデータからＩＰアドレスを解読し、電話帳サーバ１０７を参照してＩＰパケットの送信先を選択し、選択した送信先のみにＩＰパケットを送信する。
【００２６】
ＩＰ搬送装置１１０は、ＩＰ網５００を介して、後述する中継拠点のＩＰ搬送装置２１０とＩＰパケットの送受信を行う。なお、ＩＰ搬送装置１１０は、ＩＰ網５００への送信時に、複数回線のＩＰパケットをビット単位で時間軸上に多重化する機能を有している。また、ＩＰ搬送装置１１０は、ＩＰ網５００から信号を受信すると、送信の場合と逆の変換によって分離する機能を有している（時分割多重化機能）。
【００２７】
≪中継拠点≫
中継拠点は、主として電話機２００、電話帳サーバ２０７、ＳＷ２０８（選択部）、ＩＰ搬送装置２１０、ＶｏＩＰテレフォニアダプタ（以下、ＶｏＩＰ−ＴＡとする）２３０ａ、２３０ｂ（第１の変換部）、レピータ２１２（第２の変換部）、搬送装置２１４（送信部）、を有している。
【００２８】
電話帳サーバ２０７、ＳＷ２０８、ＩＰ搬送装置２１０は、前述した電力所の電話帳サーバ１０７、ＳＷ１０８、ＩＰ搬送装置１１０とそれぞれ同様の構成とすることができる。よって、説明を省略する。
【００２９】
電話機２００は、ＶｏＩＰの機能を有しないアナログ回線用の電話機である。電話機２００は、２線式のケーブル２０１ａでＶｏＩＰ-ＴＡ２３０ａと接続されている。以下、２線式のアナログ通信回線（例えばケーブル２０１ａ）で送信される信号を２線式アナログ音声信号（第１のアナログ音声信号）とする。なお、本実施形態では、ＳＷ２０８に対して電話機２００が一台設置されたこととするが、電話機２００が複数設置されていてもよい。その場合、ＳＷ２０８と複数の電話機２００との間にそれぞれＶｏＩＰ−ＴＡ２３０ａを設けるようにする。
【００３０】
ＶｏＩＰ−ＴＡ２３０ａ、２３０ｂは、ＶｏＩＰの機能を備えていない２線式の通信機器（電話機２００）をＩＰ網５００に接続可能とするためのアダプタである。
【００３１】
ＶｏＩＰ-ＴＡ２３０ａは、ＳＷ２０８と電話機２００との間に設けられ、ＳＷ２０８からＩＰパケットを受信すると２線式アナログ音声信号に変換して電話機２００に送信する。また、電話機２００から２線式アナログ音声信号を受信するとＩＰパケットに変換してＳＷ２０８に送信する。なお、ＶｏＩＰ−ＴＡ２３０ａには、電話機２００の電話番号に対応するＩＰアドレスが設定されている。
【００３２】
ＶｏＩＰ-ＴＡ２３０ｂは、ＳＷ２０８とレピータ２１２との間に設けられ、ＳＷ２０８からＩＰパケットを受信すると、２線式（ｍ線式）アナログ音声信号に変換してレピータ２１２に送信する。また、ＶｏＩＰ-ＴＡ２３０ｂは、レピータ２１２から２線式アナログ音声信号を受信すると、ＩＰパケットに変換してＳＷ２０８に送信する。なお、ＶｏＩＰ−ＴＡ２３０ｂには、後述する変電所の電話機３００の電話番号に対応するＩＰアドレスが設定されている。
【００３３】
レピータ２１２は、ＶｏＩＰ−ＴＡ２３０ｂと搬送装置２１４とを中継する装置であり、ケーブル２０１ｂの２線式の通信回線と、ケーブル２２０の６線（４Ｗ、ＳＲ、ＳＳ）式（ｎ線式）の通信回線との変換機能を有している。以下、６線式のアナログ通信回線（例えばケーブル２２０）で送信される信号を６線式アナログ音声信号（第２のアナログ音声信号）とする。
【００３４】
搬送装置２１４は、変電所（送信先）の搬送装置３０４（受信部）と中継線６００を介して通信が可能となっている。なお、搬送装置２１４は、６線式アナログ音声信号を、一本の中継線６００で送信するべく、より高い周波数に変換して多重化する機能を有している。また、搬送装置２１４は、中継線６００から信号を受信すると、送信の場合と逆の変換によって分離する機能を有している（周波数分割多重機能）。
【００３５】
≪変電所≫
変電所は、主として電話機３００、レピータ３０２（第３の変換部）、搬送装置３０４を有している。  
搬送装置３０４は、搬送装置２１４と同様の機能を有しており、中継線６００を介して搬送装置２１４と通信可能となっている。  
レピータ３０２は、電話機３００と搬送装置３０４とを中継する装置であり、６線式アナログ音声信号と２線式アナログ音声信号との変換機能を有している。  
電話機３００は、ＶｏＩＰの機能を有しないアナログ回線用の電話機である。電話機３００は、２線式のケーブル３０１でレピータ３０２と接続されている。
【００３６】
以下、中継拠点に設置されたＶｏＩＰ−ＴＡ２３０ｂとレピータ２１２の構成及び動作について説明する。
【００３７】
＝＝＝ＶｏＩＰ−ＴＡ＝＝＝
図２を参照しつつ、ＶｏＩＰ−ＴＡ２３０ｂについて説明する。  
図２は、ＶｏＩＰ−ＴＡ２３０ｂの構成の一例を示すブロック図である。なお、ＶｏＩＰ−ＴＡ２３０ａも同様の構成とすることができる。
【００３８】
ＶｏＩＰ−ＴＡ２３０ｂは、インターフェース２３２、デジタル−アナログ変換部２３４、制御部２３６、電話機インターフェース２４０を有している。  
インターフェース２３２は、ＳＷ２０８を接続するためのインターフェースである。
【００３９】
電話機インターフェース２４０は、２線式アナログ音声信号の通信機器を接続するためのインターフェースである。図２のＶｏＩＰ−ＴＡ２３０ｂの場合、レピータ２１２のケーブル２０１ｂが接続されている。なお、ＶｏＩＰ−ＴＡ２３０ａの場合、電話機インターフェース２４０には、電話機２００のケーブル２０１ａが接続される。
【００４０】
デジタル−アナログ変換部２３４は、アナログ信号からデジタル信号への変換（符号化）、及びデジタル信号からアナログ信号への変換（復元化）の双方が可能なコーデック機能を有している。また、デジタル−アナログ変換部２３４は、パケット受信部２４２、デパケット化部２４４、デコーダ部２４６、パケット送信部２５２、パケット化部２５４、エンコーダ部２５６を有している。
【００４１】
パケット受信部２４２は、インターフェース２３２からＩＰパケットを受信する。  
デパケット部２４４は、パケット受信部２４２が受信したＩＰパケットをパケット化される前のデータに戻し（伸長化）、デコーダ部２４６に送信する。  
デコーダ部２４６は、デパケット部２４４から受信したデータをアナログ信号に復号化し、電話機インターフェース２４０に送信する。  
エンコーダ部２５６は、電話機インターフェース２４０から受信したアナログ音声信号を符号化する。  
パケット化部２５４は、エンコーダ部２５６で符号化された音声データをＩＰパケットにパケット化する。  
パケット送信部２５２は、ＩＰパケットをインターフェース２３２に送信する。
【００４２】
制御部２３６は、デジタル−アナログ変換部２３４の制御を行う。例えばインターフェース２３２にＩＰパケットが入力された場合には、デジタル−アナログ変換部２３４の復元化の径路（パケット受信部２４２、デパケット部２４４、デコーダ部２４６）を選択し、電話機インターフェース２４０に２線式アナログ音声信号が入力された場合には、デジタル−アナログ変換部２３４を符号化の径路（エンコーダ部２５６、パケット化部２５４、パケット送信部２５２）を選択する。
【００４３】
以上の構成により、例えば、ＳＷ２０８からＶｏＩＰ−ＴＡ２３０ｂのインターフェース２３２にＩＰパケットが入力されると、制御部２３６は、デジタル−アナログ変換部２３４を復元化の径路を選択する。そして、デジタル−アナログ変換部２３４において、ＩＰパケットは、パケット受信部２４２、デパケット部２４４、デコーダ部２４６を通過することによって、２線式アナログ音声信号に変換される。この２線式アナログ音声信号は電話機インターフェース２４０から、ケーブル２０１ｂを介して、レピータ２１２に送信される。
【００４４】
また、レピータ２１２からＶｏＩＰ−ＴＡ２３０ｂの電話機インターフェース２４０に２線式アナログ音声信号が入力されると、制御部２３６は、デジタル−アナログ変換部２３４を符号化の径路を選択する。そして、デジタル−アナログ変換部２３４において、２線式アナログ音声信号は、エンコーダ部２５６、パケット化部２５４、パケット送信部２５２を通過することによって、ＩＰパケットに変換される。このＩＰパケットはインターフェース２３２から、ＳＷ２０８に送信される。
【００４５】
＝＝＝レピータ＝＝＝
図１、図３を参照しつつレピータの構成の一例について説明する。図３はレピータ２１２の構成の一例を説明するためのブロック図である。なお、レピータ３０２もレピータ２１２と同様の構成とすることができる。
【００４６】
レピータ２１２は、２線式のケーブル２０１ｂでＶｏＩＰ−ＴＡ２３０ｂと接続され、６線（４Ｗの通話線とＳＳ、ＳＲの信号線）式のケーブル２２０で搬送装置２１４と接続されている。図３に示すようにレピータ２１２は、ハイブリッドコイル２６０、呼出検出回路２６２、信号送信リレー回路（以下、ＳＳ回路とする）２６４、信号受信リレー回路（以下、ＳＲ回路とする）２６６、ループ制御回路２６８を有している。なお、搬送装置２１４、中継線６００、搬送装置３０４を介して、レピータ２１２のＳＳ線と、レピータ３０２のＳＲ線とが接続されることになり、レピータ２１２のＳＲ線とレピータ３０２のＳＳ線とが接続されることになる。
【００４７】
ハイブリッドコイル２６０は、通話線の回線数を、２線式から４線式（４Ｗ）に変換するものである。  
呼出検出回路２６２は、ケーブル２０１ｂの信号から送信先を呼び出す呼出信号を検出する。そして呼出信号を検出すると、呼び出しがかかった事をＳＳ回路２６４へ送る。
【００４８】
ＳＳ回路２６４は、呼出検出回路２６２から呼び出しがかかった事を受けると搬送装置２１４に適した信号に変換し、ＳＳ線に送信する。なお、この呼出信号は、ＳＳ線、搬送装置２１４、中継線６００、搬送装置３０４を介してレピータ３０２のＳＲ線に送信される。
【００４９】
ＳＲ回路２６６は、ＳＲ線を介してレピータ３０２から電話機３００の応答を示す応答信号を受信する。ループ制御回路２６８は、ＳＲ回路２６６が応答信号を受信すると、レピータ２１２とレピータ３０２の通信線の間に、双方向の通信を可能とするべく、ケーブル２０１ｂに対してループを形成する。
【００５０】
次にレピータ２１２とレピータ３０２の音声送信の動作について説明する。  
まず、ＶｏＩＰ−ＴＡ２３０ｂからケーブル２０１ｂに送信された呼出信号は呼出検出回路２６２で検出される。すると呼出検出回路２６２は呼び出しがかかったことをＳＳ回路２６４に送信する。ＳＳ回路２６４から送信された呼出信号は、ＳＳ線を介してレピータ３０２のＳＲ線へと送信される。その後、レピータ３０２から電話機３００の応答信号がレピータ３０２のＳＳ線に送信されると、この応答信号はレピータ２１２のＳＲ線を介してＳＲ回路２６６に受信される。ＳＲ回路２６６が応答信号を受信することによって、ループ制御回路２６８はレピータ２１２とレピータ３０２の通信線の間にループを形成する。
【００５１】
ループ形成後、ハイブリッドコイル２６０によって、ケーブル２０１ｂの２線式アナログ音声信号が４Ｗに変換される。この４Ｗ及びＳＳ線、ＳＲ線を含めたケーブル２２０の６線式アナログ音声信号は、搬送装置２１４から、搬送装置３０４を介してレピータ３０２に送信される。そして６線式アナログ音声信号はレピータ３０２で元の２線式アナログ音声信号に変換される。
【００５２】
＝＝＝音声送信＝＝＝
以下、図１、図２、図３を参照しつつ、電力所の電話機１００ｂから変電所の電話機３００に音声を送信する場合の動作について説明する。  
なお、便宜上、電話機１００ｂと電話機３００の接続が確立した状態から説明を行うこととする。
【００５３】
電話機１００ｂからケーブル１０１ｂに送信される２線式アナログ音声信号は、ＰＢＸ１０２を介してＯＤＴ１０４ｂに送信され、ＯＤＴ１０４ｂでＯＤ信号に変換される。このＯＤ信号は、さらにＩＰ−ＧＷ１０６ｂに送信され、ＩＰ−ＧＷ１０６ｂでＩＰパケットに変換される。なお、このＩＰパケットには、電話機３００の電話番号に対するＩＰアドレス、すなわちＶｏＩＰ−ＴＡ２３０ｂのＩＰアドレスが含まれている。
【００５４】
ＳＷ１０８は、ＩＰパケットのＩＰアドレスに基づいて、電話帳サーバ１０７を参照して送信先を選択し、ＩＰパケットをＩＰ搬送装置１１０、ＩＰ網５００を介してＩＰ搬送装置２１０に送信する。ＩＰ搬送装置２１０が受信したＩＰパケットのデータから、ＳＷ２０８は電話帳サーバ２０７を参照して送信先のＩＰアドレスを選択し、ＶｏＩＰ−ＴＡ２３０ｂにＩＰパケットを送信する。
【００５５】
ＶｏＩＰ−ＴＡ２３０ｂにおいて、ＩＰパケットは、ＶｏＩＰ−ＴＡ２３０ｂのパケット受信部２４２、デパケット部２４４、デコーダ部２４６を通過することによって２線式アナログ音声信号に変換され、電話機インターフェース２４０からレピータ２１２へと送信される。
【００５６】
そして、２線式アナログ音声信号は、レピータ２１２で４Ｗ、ＳＳ線、ＳＲ線の６線式アナログ音声信号に変換される。
【００５７】
搬送装置２１４は６線式アナログ音声信号を多重化して、中継線６００を介して、搬送装置３０４に送信する。搬送装置３０４は受信した信号を元の６線式アナログ音声信号に分離する。そして、６線式アナログ音声信号は、レピータ３０２で２線式アナログ音声信号に変換されて電話機３００に供給され、受話器から音声として出力される。
【００５８】
逆に、電話機３００から音声を送信し、電話機１００ｂが音声を受信する場合は、前述した径路と逆の径路で音声信号の送信が行われる。なお、その場合、ＶｏＩＰ−ＴＡ２３０ｂにおいて、電話機インターフェース２４０に入力された２線式アナログ音声信号は、図２のエンコーダ部２５６、パケット化部２５４、パケット送信部２５２を介してＩＰパケットに変換され、インターフェース２３２からＳＷ２０８に送信されることになる。
【００５９】
このように、ＶｏＩＰを適用した中継拠点において、電話機インターフェース２４０を有するＶｏＩＰ−ＴＡ２３０ｂとレピータ２１２を用いることにより、ＩＰパケット、２線式アナログ音声信号、６線式アナログ音声信号の変換を行うことが可能となる。このことにより、高価で大がかりなＰＢＸを設置することなく、音声信号をＩＰ網５００から電話機２００へ送信すること、及び搬送装置２１４へ送信することが可能となる。よってＰＢＸが不要となるので、音声送信の装置のコストを低減でき、また装置の規模を従来よりも小さくすることができる。
【００６０】
また、ＳＷ２０８を用いることによって、ＩＰパケットに含まれるＩＰアドレスから、６線式アナログ音声信号に変換することが必要なＩＰパケットのみを選択してＶｏＩＰ−ＴＡ２３０ｂに送信することができる。
【００６１】
さらに、変電所において６線式アナログ音声信号をレピータ３０２で元の２線式アナログ音声信号に変換することによって、電話機３００に音声信号を送信することができる。
【００６２】
以上説明したように、本発明の音声送信装置は、ＶｏＩＰを適用した拠点において、ＰＢＸを用いることなく、ＩＰパケット−２線式アナログ音声信号−６線式アナログ音声信号の中継を行うことができる。よって、ＰＢＸが不要となり、従来よりもコストの低減及び規模の縮小化を実現することができる。
【００６３】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００６４】
【図１】本発明にかかる音声送信装置を適用したシステム構成を示すブロック図である。
【図２】ＶｏＩＰ−ＴＡの構成の一例を示すブロック図である。
【図３】レピータの構成の一例を示すブロック図である。
【符号の説明】
【００６５】
１００ａ、１００ｂ、１００ｃ  電話機
１０１ａ、１０１ｂ、１０１ｃ  ケーブル（２線式）
１０４ａ、１０４ｂ、１０４ｃ  ＯＤＴ
１０６ａ、１０６ｂ、１０６ｃ  ＩＰ−ＧＷ
１０２  ＰＢＸ                              １０８  ＳＷ
１１０  ＩＰ搬送装置                        ２００  電話機
２０１ａ、２０１ｂ  ケーブル（２線式）      ２０８  ＳＷ
２１０  ＩＰ搬送装置                        ２１２  レピータ
２１４  搬送装置                            ２２０  ケーブル（６線式）
２３０ａ、２３０ｂ  ＶｏＩＰ−ＴＡ          ２３２  インターフェース
２３４  デジタル−アナログ変換部            ２３６  制御部
２４０  電話機インターフェース              ２４２  パケット受信部
２４４  デパケット部                        ２４６  デコーダ部
２５２  パケット送信部                      ２５４  パケット化部
２５６  エンコーダ部                        ２６０  ハイブリッドコイル
２６２  呼出検出回路                        ２６４  ＳＳ回路
２６６  ＳＲ回路                            ２６８  ループ制御回路
３００  電話機                              ３０１  ケーブル（２線式）
３０２  レピータ                            ３０３  ケーブル（６線式）
３０４  搬送装置                            ３０３  ケーブル（６線式）
５００  ＩＰ網                              ６００  中継線
【図１】
2007221546.tif 000003
【図２】
2007221546.tif 000004
【図３】
2007221546.tif 000005